(57)【要約】      （修正有）【課題】クロストークの低減が図れる電気コネクタを提供する。【解決手段】絶縁本体に保持される導電端子３と、前記絶縁本体に包囲するように配置される金属板からなるハウジングとを具備し、導電端子３が、相手コネクタに接続するための接触部３１４と、回路基板に接続するための接続部３１５と、前記接触部と前記接続部とを連接するための基部とを具備する電気コネクタにおいて、前記導電端子は、第１導電端子３１１と第２導電端子３２１とを具備し、第１導電端子及び第２導電端子の基部は、前記接触部に連接する第１折曲部３１３１と、前記接続部に連接する第２折曲部３２３２とをそれぞれ形成し、第１導電端子及び第２導電端子の第１折曲部が、前記絶縁本体内に保持され、相手コネクタの挿入方向で、前記第１導電端子の第１折曲部と第２折曲部との間の距離は、前記第２導電端子の第１折曲部と第２折曲部との間の距離より短くなっている。【選択図】図１
0003144890.tif 000002
【実用新案登録請求の範囲】
【請求項１】
絶縁材料からなる絶縁本体と、
前記絶縁本体に保持される導電端子と、
前記絶縁本体に包囲するように配置される金属板からなるハウジングと
を具備し、
前記導電端子が、相手コネクタに接続するための接触部と、回路基板に接続するための接続部と、前記接触部と前記接続部とを連接するための基部とを具備する電気コネクタにおいて、
前記導電端子は、第１導電端子と第２導電端子とを具備し、
第１導電端子及び第２導電端子の基部は、前記接触部に連接する第１折曲部と、前記接続部に連接する第２折曲部とをそれぞれ形成し、
第１導電端子及び第２導電端子の第１折曲部が、前記絶縁本体内に保持され、
相手コネクタの挿入方向で、前記第１導電端子の第１折曲部と第２折曲部との間の距離が、前記第２導電端子の第１折曲部と第２折曲部との間の距離より短くなっていることを特徴とする電気コネクタ。
【請求項２】
前記第１導電端子の第１折曲部の折曲角度は、第２導電端子の第１折曲部の折曲角度より小さく、
前記第１導電端子及び第２導電端子の第２折曲部が、一列になるように配置されることを特徴とする請求項１に記載の電気コネクタ。
【請求項３】
前記絶縁本体は、本体部と該本体部から前向きに延出するように形成される舌片部とを具備し、
前記第１導電端子の接触部と前記第２導電端子の接触部とは、前記絶縁本体の舌片部の上下表面にそれぞれ配置されることを特徴とする請求項１に記載の電気コネクタ。
【考案の詳細な説明】
【技術分野】
【０００１】
本考案は、電気コネクタに関し、特に、電気通信装置に使用される電気コネクタに関するものである。
【背景技術】
【０００２】
近年、電気・電子機器の小型化が進むにつれ、コネクタの小型化の要求も強くなってきており、コネクタはより一層軽薄短小化が進んできている。通信速度が高速化し、導線間の間隔が狭くなることによって、ノイズの影響が顕著になってきている。このノイズは、１つの導線の信号が他の導線へ移るクロストークが１つの要因となっている。音楽や映画をストリーミングして視聴する場合にクロストークが発生すると、ダウンロードするデータ信号が他の導体へ移り、音飛びやコマ落ちの原因となる。
【０００３】
現在の電気コネクタ（図示せず）は、電気絶縁体材料で形成された絶縁体と導電性の材料で形成されたコンタクトとを備えていることが多い。該コンタクトは相手物と接触する接触部と前記絶縁体に固定される固定部と基板やケーブルに接続される接続部とを備えており、また、前記コンタクトは前記絶縁体に圧入や引っ掛け（ランス）等によって固定されている。
【特許文献１】台湾実用新案第２５９３７２号明細書
【考案の開示】
【考案が解決しようとする課題】
【０００４】
特許文献１の構造のものは、コンタクト間の間隔が狭くなるので、クロストークの低減を図ったものではない。上述した欠点に鑑みて、新型の電気コネクタを開発することが必要である。
【０００５】
本考案は、クロストークの低減が図れる電気コネクタを提供することを目的とする。
【課題を解決するための手段】
【０００６】
本考案の電気コネクタは、絶縁材料からなる絶縁本体と、前記絶縁本体に保持される導電端子と、前記絶縁本体に包囲するように配置される金属板からなるハウジングとを具備し、前記導電端子が、相手コネクタに接続するための接触部と、回路基板に接続するための接続部と、前記接触部と前記接続部とを連接するための基部とを具備する電気コネクタにおいて、前記導電端子は、第１導電端子と第２導電端子とを含み、第１導電端子及び第２導電端子の基部は、前記接触部に連接する第１折曲部と、前記接続部に連接する第２折曲部とをそれぞれ形成し、第１導電端子及び第２導電端子の第１折曲部が、前記絶縁本体内に保持され、相手コネクタの挿入方向で、前記第１導電端子の第１折曲部と第２折曲部との間の距離は、前記第２導電端子の第１折曲部と第２折曲部との間の距離より短くなっていることを特徴とする。
【考案の効果】
【０００７】
従来技術に比べ、本考案は、前記第１導電端子の第１折曲部と第２折曲部との間の距離が、前記第２導電端子の第１折曲部と第２折曲部との間の距離より短くなり、第１導電端子及び第２導電端子の基部の距離が増加するので、クロストークが低減されるという利点を有する。
【考案を実施するための最良の形態】
【０００８】
以下、図１〜図９を参照し、本考案の電気コネクタの好ましい一実施形態について、添付図面を参照して説明する。本考案の電気コネクタ１は、絶縁本体２と、絶縁本体２に圧入された複数の導電端子３と、絶縁本体２の外側を包囲するように配置される金属板からなるハウジング４と、を含む。
【０００９】
絶縁本体２は、本体部２０と、本体部２０から前向きに延出するように形成された舌片部２１とを有し、前記舌片部２１の両側には阻止壁２２がそれぞれ下向きに延出するように形成されるので該舌片部２１はコ字形状を呈し、舌片部２１は上表面２１１及び下表面２１２を有する。本体部２０の底壁２４に凸状リブ２４１が突出するように形成され、また、底壁２４には電気コネクタ１を回路基板（図示せず）に実装するための位置決め部２４２が形成され、絶縁本体２の後端に保持凸部２５が形成される。
【００１０】
前記金属板からなるハウジング４は、絶縁本体２を収容するためのケース状を呈するための収容空間（参照記号なし）を有し、天板４３及び底板４４には、収容空間へ向けて延出し、相手コネクタ（図示せず）に押圧するための弾性片４７をそれぞれ形成し、ハウジング４の左右側壁には回路基板に半田付けできる半田付け部４５がそれぞれ形成され、左右側壁に絶縁本体２の保持凸部２５に係合するための係合片４６がそれぞれ設けられ、絶縁本体２の本体部２０の外側には、ハウジング４に干渉するように当接した複数の干渉凸部がそれぞれ形成される。
【００１１】
前記導電端子３は、第１導電端子組３１と第２導電端子組３２とを有し、第１導電端子組３１は、複数の第１導電端子３１１と該第１導電端子３１１の両端に一体に連接する第１キャリアー３１２とを有し、第２導電端子組３２は、複数の第２導電端子３２１と該第２導電端子３２１の両端に一体に連接する第２キャリアー３２２とを有する。前記第１キャリアー３１２及び第２キャリアー３２２には、導電端子３を金型に保持するための位置決め孔３１２１，３２２１がそれぞれ形成される。
【００１２】
前記第１導電端子３１１及び第２導電端子３２１は、基部３１３，３２３と、基部３１３，３２３から前向きに延出するように相手コネクタに接続するための接触部３１４，３２４と、基部３１３，３２３から後向きに延出するように回路基板に半田付けされる接続部３１５，３２５とをそれぞれ含み、第１導電端子３１１の接触部３１３が舌片部２１の上表面２１１に配置され、第２導電端子３２１の接触部３２３が舌片部２１の下表面２１２に配置され、各接触部３１４，３２４の末端が絶縁本体２にインサート成型されることによって、キャリアー３１２，３２２を切落とす際に接触部３１４，３２４の変形を制限し、且つ接触部３１４，３２４の平面度を保証している。第１導電端子３１１及び第２導電端子３１２の接続部３１５，３２５が同一な平面に位置し、その長さが同じである。
【００１３】
前記基部３１３，３２３は、接触部３１４，３２４に連接するための第１折曲部３１３１，３２３１と、接続部３１５，３２５に連接するための第２折曲部３１３２，３２３２とを有し、基部３１３，３２３の第２折曲部３１３２，３２３２に隣接する箇所には第３折曲部３１３３，３２３３がそれぞれ形成され、第１折曲部３１３１，３２３１は絶縁本体２の内部にインサートに形成され、第２折曲部３１３２，３２３２が一列になるように配置されている。第１導電端子３１１の基部３１３と第２導電端子３２１の基部３２３とが相手コネクタの挿入方向で順に配置され、第１導電端子３１３の第１折曲部３１３１の折曲角度が第２導電端子３２１の第１折曲部３１３２より短くなっている。相手コネクタの挿入方向で、第１導電端子３１１の第１折曲部３１３１と第２折曲部３１３２との間の距離は、第２導電端子３２１の第２折曲部３２３１と第２折曲部３２２との間の距離より短くなっている。これによって、第１導電端子３１１及び第２導電端子３２１の基部３１３，３２３の間の距離が増加しているので、クロストークの低減を図っている。
【００１４】
導電端子３が一体にインサート成型により絶縁本体２に成型してから、キャリアー３１２，３２２を切落とし、ハウジング４が後方から前向きに絶縁本体２に取付けられ、ハウジング４の係合片４６が絶縁本体２の保持凸部２５に係合し、絶縁本体２の複数の干渉凸部がハウジング４の内側壁にそれぞれ当接することによって、ハウジング４を絶縁本体２に安定に包囲している。
【００１５】
図１０及び図１１を参照すると、本考案の他の実施形態が示されている。ここで、第１実施形態と同一の構造は説明しない。異なるのは、他の実施形態の第１導電端子３１１’の基部３１３’と第２導電端子３２１’の基部３２３’とが、所定の距離を間隔するように平行的に配置されることにより、クロストークの低減を図っているということである。
【００１６】
以上本考案について最良の実施の形態を参照して詳細に説明したが、実施形態はあくまでも例示的なものであり、これらに限定されるものではない。また上述の説明は、本考案に基づきなしうる細部の修正又は変更など、いずれも本考案の請求範囲に属するものとする。
【図面の簡単な説明】
【００１７】
【図１】本考案に係る電気コネクタの導電端子の組立斜視図である。
【図２】図１に示す電気コネクタの導電端子の側視図である。
【図３】本考案に係る電気コネクタの導電端子を絶縁本体に装着した斜視図である。
【図４】図３に示す電気コネクタの他の角度から見た分解斜視図である。
【図５】本考案に係る電気コネクタの分解組立斜視図である。
【図６】図５に示す電気コネクタの他の角度から見た分解斜視図である。
【図７】本考案に係る電気コネクタの組立斜視図である。
【図８】図５に示す電気コネクタのA-A線に沿っての断面図である。
【図９】図５に示す電気コネクタのB-B線に沿っての断面図である。
【図１０】本考案に係る他の実施形態の電気コネクタの導電端子の斜視図である。
【図１１】図１０に示す他の実施形態の電気コネクタの導電端子の側視図である。
【符号の説明】
【００１８】
１  電気コネクタ
２  絶縁本体
３  導電端子
４  ハウジング
２０  本体部
２１  舌片部
２２  阻止壁
２４  底壁
２５  保持凸部
２１１  上表面
２１２  下表面
２４１  凸状リブ
２４２  位置決め部
３１  第１導電端子組
３２  第２導電端子組
３１１  第１導電端子
３１２  第１キャリアー
３２１  第２導電端子
３２２  第２キャリアー
３１３、３２３  基部
３１４、３２４  接触部
３１５、３２５  接続部
３１３１、３２３１  第１折曲部
３１３２、３２３２  第２折曲部
３１３３、３２３３  第３折曲部
４３  天板
４４  底板
４６  係合片
４７  弾性片
【図１】
0003144890.tif 000003
【図２】
0003144890.tif 000004
【図３】
0003144890.tif 000005
【図４】
0003144890.tif 000006
【図５】
0003144890.tif 000007
【図６】
0003144890.tif 000008
【図７】
0003144890.tif 000009
【図８】
0003144890.tif 000010
【図９】
0003144890.tif 000011
【図１０】
0003144890.tif 000012
【図１１】
0003144890.tif 000013